(57)【特許請求の範囲】
【請求項１】
バックレスト表面板（２０）を含むバックレスト（１０）と、
非使用位置から使用位置まで枢動軸（Ｓ）まわりに枢動可能でありかつ前記バックレスト表面板（２０）に締結されたテーブルユニット（４０）と
を含む車両用シート（１）であって、
前記バックレスト表面板（２０）の、前記テーブルユニット（４０）から離れる方を向く側に配列されたテーブルばね（３４）が設けられ、
いずれにも一つのピン状突起（３９）を有する２つのテーブルばねスリーブ（３８）が設けられ、
前記突起（３９）は前記枢動軸（Ｓ）に整合し、
前記テーブルばね（３４）は付勢され、
前記２つのテーブルばねスリーブ（３８）は、前記テーブルばね（３４）が及ぼすばね力によって前記テーブルユニット（４０）が前記バックレスト（１０）上に保持されるように、前記枢動軸（Ｓ）に沿って前記テーブルばね（３４）による付勢を受ける車両用シート（１）。
【請求項２】
前記テーブルユニット（４０）は、前記テーブルばね（３４）が及ぼすばね力の作用を受けて前記使用位置にロックされる、請求項１に記載の車両用シート（１）。
【請求項３】
前記テーブルユニット（４０）は、前記テーブルばね（３４）が及ぼすばね力の作用を受けて前記非使用位置にロックされる、請求項１又は２に記載の車両用シート（１）。
【請求項４】
前記テーブルユニット（４０）に対して前記テーブルユニット（４０）とともに回転するように接続された２つの回転ジャーナル（３６）が設けられる、請求項１から３のいずれか一項に記載の車両用シート（１）。
【請求項５】
前記回転ジャーナル（３６）の中心軸が前記枢動軸（Ｓ）に整合される、請求項４に記載の車両用シート（１）。
【請求項６】
前記バックレスト表面板（２０）は円筒形隆起部（５０）を有する、請求項４又は５に記載の車両用シート（１）。
【請求項７】
前記回転ジャーナル（３６）は、一部が前記隆起部（５０）内に配置されて前記テーブルユニット（４０）の中に突出する、請求項６に記載の車両用シート（１）。
【請求項８】
前記隆起部（５０）の円筒軸が前記枢動軸（Ｓ）に整合する、請求項６又は７に記載の車両用シート（１）。
【請求項９】
前記突起（３９）は、一つの回転ジャーナル（３６）の各開口部の中に突出し、
前記テーブルばね（３４）は前記テーブルばねスリーブ（３８）を、前記回転ジャーナル（３６）に向かうように付勢する、請求項１に記載の車両用シート（１）。
【請求項１０】
前記テーブルばねスリーブ（３８）は、前記テーブルばね（３４）及び前記バックレスト表面板（２０）に対して回転しないように接続される、請求項９に記載の車両用シート（１）。
【請求項１１】
前記テーブルばね（３４）は、
ほぼＵ字形状に曲げられて一つの中央脚（３３）と、
追加的に外側へと曲げられたばね端（３５）を備える２つの側方脚（３７）と
を有し、
前記ばね端（３５）は、前記テーブルばねスリーブ（３８）の係合開口部（４８）の中に係合する、請求項１から１０のいずれか一項に記載の車両用シート（１）。
【請求項１２】
前記バックレスト表面板（２０）はプラスチックからなる、請求項１から１１のいずれか一項に記載の車両用シート（１）。
【請求項１３】
前記テーブルユニット（４０）は、形状噛み合いによって一緒に連結されるテーブル表面板（３０）及びテーブル枠板（３２）を含む、請求項１から１２のいずれか一項に記載の車両用シート（１）。
【請求項１４】
前記バックレスト表面板（２０）にはロックボタン（２６）が取り付けられ、
前記ロックボタンは前記テーブルユニット（４０）を、前記テーブルユニットが非使用位置にある場合に前記バックレスト表面板（２０）上に保持する、請求項１から１３のいずれか一項に記載の車両用シート（１）。
【発明の詳細な説明】
【技術分野】
【０００１】
本発明は、バックレストと、これに締結されたテーブルユニットとを有する車両用シートに関し、請求項１のプリアンブルに記載の特徴を有する車両用シートに関する。
【背景技術】
【０００２】
特許文献１は、一般的な車両用シートを開示し、特には自動車用シート及び航空機用シートであってテーブルユニットを有するものを開示している。本例ではテーブルユニットは、車両用シートのバックレストの裏側に取り付けられ、かつ、例えば飲み物のような物品を、当該車両用シートの後ろに位置するシートに着座した車両乗員が置くことができる表面を与える。
【０００３】
テーブルユニットは、車両用シートの表面上に取り付けられる。テーブルユニットは、短手方向に延びる軸まわりに、折り畳まれた非使用位置から折り畳み解除された使用位置まで枢動可能である。車両乗員は手動で、使用位置から非使用位置まで及びその逆にテーブルユニットを動かすことができる。結合ギアを備えたテーブル支承ユニットによって、当該テーブルユニットは、バックレストの位置から独立して動くことができる。
【０００４】
特許文献２も、テーブルユニットを有する一般的な車両用シートを開示する。テーブルユニットは、短手方向に延びる軸まわりに、折り畳まれた非使用位置から折り畳み解除された使用位置まで枢動可能となるように、車両用シート表面上に取り付けられる。
【０００５】
特許文献３も、折り畳み可能なテーブルユニットを有する車両用シートを開示する。
【先行技術文献】
【特許文献】
【０００６】
【特許文献１】独国特許出願公開第１０  ２００７  ００１  ９６２（Ａ１）号明細書
【特許文献２】独国特許出願公開第１０  ２００８  ０５７  ７９０（Ａ１）号明細書
【特許文献３】独国実用新案第８２  ３１  １２７（Ｕ１）号明細書
【発明の概要】
【発明が解決しようとする課題】
【０００７】
本発明は、導入で述べたタイプの車両用シートであって構造が簡略化された車両用シートを特定するという課題、特に、テーブルユニットの車両用シートへの締結を簡略化するという課題に基づく。
【課題を解決するための手段】
【０００８】
上記課題は、本発明によれば、請求項１に特定された特徴を有する車両用シートによって解決される。従属項は、個別に又は互いに組み合わせて使用される有利な改良点に関する。
【０００９】
本発明に係る車両用シートは、バックレストと、非使用位置から使用位置まで枢動軸まわりに枢動可能なテーブルユニットと、当該テーブルユニットが締結されるバックレスト表面板とを含む。本発明によれば、付勢されたテーブルばねが設けられる。テーブルユニットは、テーブルばねが及ぼすばね力によってバックレスト上に保持される。テーブルばねは、バックレスト表面板の、テーブルユニットから離れる方を向く側に配列される。
【００１０】
このようにして、テーブルユニットを車両用シートのバックレストに取り付けることが、例えばねじのような取り付け材料の追加なしに、かつ、溶接工程なしに可能となる。すなわち、有利なことに、テーブルユニットの取り付けが簡略化される。
【００１１】
さらに、テーブルユニットをバックレスト表面板に予め取り付けて、そのバックレスト表面板を、最終組み付け工程中に単にバックレストに取り付けるだけとすることができる。
【００１２】
ここで、テーブルばねは、バックレストの内部に配列されてバックレスト表面板によって隠される。
【００１３】
ここで、テーブルユニットが、テーブルばねが及ぼすばね力の作用を受けて使用位置及び／又は非使用位置にロックされる場合が有利である。
【００１４】
本発明の一つの改良では、２つの回転ジャーナルが設けられる。２つの回転ジャーナルは、テーブルユニットに対して当該テーブルユニットとともに回転するように接続される。回転ジャーナルの中心軸が枢動軸に整合される。
【００１５】
ここで、バックレスト表面板が円筒形隆起部を有することが有利である。回転ジャーナルは、一部が隆起部内に配置されてテーブルユニット内に突出する。
【００１６】
ここで、隆起部は、当該隆起部の円筒軸が枢動軸に整合されるように配列されるのが好ましい。
【００１７】
本発明の一つの有利な改良では、２つのテーブルばねスリーブが設けられる。２つのテーブルばねスリーブはいずれも、枢動軸に整合しかつ回転ジャーナルの開口部内に突出する一つのピン状突起を有する。ここで、テーブルばねは、テーブルばねスリーブを回転ジャーナルに向かうように付勢する。
【００１８】
ここで、テーブルばねスリーブは、テーブルばね及びバックレスト表面板に対して当該テーブルばね及びバックレスト表面板とともに回転するように接続される。
【００１９】
好ましいのは、テーブルばねが、ほぼＵ字形状に曲げられて一つの中央脚と、追加的に外側へと曲げられたばね端を備える２つの側方脚とを有する場合である。ここで、ばねの両端は、テーブルばねスリーブの係合開口部の中に係合する。テーブルユニットをバックレストに又はバックレスト表面板に取り付けることが、この実施形態のテーブルばねによってさらに簡略化される。
【００２０】
ここで、バックレスト表面板はプラスチックからなることが好ましい。
【００２１】
本発明の一つの有利な改良では、テーブルユニットは、形状噛み合いによって連結されて一緒になるテーブル表面板及びテーブル枠板を含む。
【００２２】
ロックボタンがバックレスト表面板に取り付けられている場合、テーブルユニットをバックレスト表面板に対して追加的に固定することが可能となる。ロックボタンは、テーブルユニットが非使用位置にある場合に当該テーブルユニットをバックレスト表面板に保持する。
【図面の簡単な説明】
【００２３】
図面に例示された有利な実施例に基づいて、本発明が以下に詳細に説明される。しかしながら本発明は、当該実施例に制限されるわけではない。
【００２４】
【図１】車両用シートの模式的例示である。
【図２】バックレスト表面板上にあるテーブルユニットの分解図である。
【図３】締結手段を備えるテーブルユニットの分解図である。
【図４】取り付け工程を受けるテーブルユニットを有するバックレスト表面板の側面図を示す。
【図５】テーブルユニットが取り付けられた図４のバックレスト表面板を示す。
【図６】バックレスト表面板上にある締結手段の分解図である。
【図７】締結手段が取り付けられた図６のバックレスト表面板を示す。
【図８】テーブルユニットが非使用位置に配置された車両用シートの斜視図である。
【図９】テーブルユニットが使用位置に配置された車両用シートの斜視図である。
【発明を実施するための形態】
【００２５】
自動車のための車両用シート１は、シートフレーム４を含むシート部品２と、当該シート部品に取り付けられて傾斜が調整可能なバックレスト１０とを有する。
【００２６】
車両内での車両用シート１の配列と当該車両の通常の進行方向とが、以下で使用される方向の用語を画定する。ここで、地面に対して直交配向される方向を以下では垂直方向と称し、及び、当該垂直方向に直交しかつ進行方向に直交する方向を以下では短手方向と称する。
【００２７】
バックレスト１０は、側方に配列された手動バックレスト調整継手１９によって傾斜が調整され得る。すなわち、シート部品２及びバックレスト１０間の角度が調整可能である。代替的に、電気駆動もあり得る。
【００２８】
高さ調整器によって、シート部品２の高さ、本例では同時に車両用シート１のバックレスト１０の車両フロア上の高さを調整することができる。本例では、高さ調整器を駆動するべく、手動の駆動デバイス７が設けられる。代替的に、電気駆動もあり得る。
【００２９】
車両フロアに接続された２つのロアレール５及び車両用シート１に接続された２つのアッパレール３を有する長手方向調整器によって、車両用シート１を長手方向に調整することができる。すなわち、シート部品２をバックレスト１０と一緒に、ほぼ進行方向に対応する長手方向に調整することができる。これを目的として、各アッパレール３は、長手方向に平行に延びるロアレール５の一方に対して変位可能に案内され、かつ、対応するロアレール５に、ロックデバイスを介してロックすることができる。ロックデバイスは、ロック解除バー１６によってロック解除することができる。代替的に、この場合電気駆動もあり得る。
【００３０】
ここで、長手方向は、短手方向に対して直交して延びるが、本例では、進行方向に対してわずかに傾斜し、ひいては垂直方向に対してほぼ直交する。
【００３１】
シート部品２はさらに、発泡体部品の形態のシートクッション１１を含む。バックレスト１０もまた発泡体部品が当てられ、かつ、シートクッション１１と同様にライニングが施される。シートクッション１１と、バックレスト１０の発泡体部品は、車両用シート１の乗員に対する着座快適性を大幅に増加させる。
【００３２】
バックレスト１０の、シート部品２から離れた垂直方向上端には、高さ調整可能かつ傾斜調整可能なヘッドレスト１８がさらに取り付けられる。
【００３３】
バックレスト１０は、本例ではプラスチックからなるバックレスト表面板２０を含む。本例のバックレスト表面板２０は、バックレスト１０の裏側、すなわち進行方向から見てバックレスト１０の後ろ部分を完全に覆う。
【００３４】
テーブルユニット４０がバックレスト表面板２０に取り付けられる。ここで、テーブルユニット４０は、短手方向において水平方向に延びる枢動軸Ｓまわりに、非使用位置から使用位置まで枢動可能である。非使用位置においてテーブルユニット４０は、バックレスト表面板２０に対して平らとなるように置かれ、及び、使用位置においてテーブルユニット４０は、バックレスト表面板２０に対してほぼ直交して突出する。使用位置においてテーブルユニット４０は、その表面がほぼ水平方向に配向されるように、すなわち地面に対して平行になるように配向される。
【００３５】
バックレストネット２２もバックレスト２０上に設けられる。本例では、バックレストネット２２は、テーブルユニット４０の下方に配列されて物品を収容する役割を果たす。
【００３６】
テーブルユニット４０は、テーブル表面板３０及びテーブル枠板３２を含む。非使用位置において、テーブル枠板３２はバックレスト表面板２０に当接し、かつ、テーブル表面板３０は後ろから可視となる。使用位置において、テーブル表面板３０が下方を向く一方、テーブル枠板３２は上方を向いてその上に物品を置くことができる。
【００３７】
テーブル枠板３２及びテーブル表面板３０は形状噛み合いによって連結されて一緒になる。これを目的として、テーブル枠板３２は、テーブル表面板３０の方を向く側に、当該テーブル枠板をテーブル表面板３０に接続する複数のフックを有する。テーブル表面板３０は、締結を目的としてテーブル枠板３２のフックと相互作用をする対応相手要素を有する。
【００３８】
バックレスト表面板２０は、後ろの方を向く表面上に円筒形隆起部５０を有する。円筒形隆起部５０は、本例では、その円筒軸が水平方向に延びかつテーブルユニット４０の枢動軸Ｓに整合するように配向される。
【００３９】
円筒形隆起部５０の両側面は、開口して表面板開口部５２を形成する。表面板開口部５２の中心点は、テーブルユニット４０の枢動軸Ｓ上にある。テーブルユニット４０は、２つの円形支承開口部４２を有する。円形支承開口部４２の中心点も同様に、テーブルユニット４０の枢動軸Ｓ上にある。ここで、各支承開口部４２は、表面板開口部５２に対して直接隣接してかつ平行に配列される。
【００４０】
したがって、短手方向において隆起部５０は、表面板開口部５２によって中心に配置されかつ外側との境界が定められる。表面板開口部５２及び隆起部５０は外側において、テーブルユニット４０の２つの支承開口部４２の間に係合する。
【００４１】
テーブルユニット４０は、枢動軸Ｓを画定する締結手段によって、バックレスト表面板２０に対して枢動可能に締結される。締結手段は、２つの回転ジャーナル３６、２つのテーブルばねスリーブ３８、及びテーブルばね３４を含む。
【００４２】
回転ジャーナル３６は、一部が隆起部５０内に配置される。ここで、各回転ジャーナル３６は、表面板開口部５２を通って延び、かつ、支承開口部４２を通ってテーブルユニット４０の中に突出する。回転ジャーナル３６は、ほぼ円筒形の形態にあって、その中心軸が枢動軸Ｓに整合されるように配列される。
【００４３】
回転ジャーナル３６のそれぞれの、テーブルユニット４０から離れる方を向く側には、すなわち短手方向の内側には、２つのテーブルばねスリーブ３８が配列される。各テーブルばねスリーブ３８は、本例では、回転ジャーナル３６に対して形状噛み合いによって接続される。これを目的として、各テーブルばねスリーブ３８は、本例ではピン状突起３９を有する。ピン状突起３９は、枢動軸Ｓに整合され、かつ、関連づけられた回転ジャーナル３６の側面にある円筒形開口部の中に突出する。テーブルばねスリーブ３８の、回転ジャーナル３６から離れる方を向く側では、すなわち短手方向の内側では、各テーブルばねスリーブ３８が係合開口部４８を有する。テーブルばね３４は、係合開口部４８の中に係合する。
【００４４】
テーブルばね３４は、ほぼＵ字形状に曲げられて一つの中央脚３３と２つの側方脚３７とを有する。中央脚３３から離れている側方脚３７のばね端３５は、追加的に外側に曲げられる。テーブルばね３４は、２つのテーブルばねスリーブ３８間に、すなわち短手方向の内側に配置される。テーブルばね３４の中央脚３３が、バックレスト表面板２０の表面板フック部５４に対して形状噛み合いによって固定される。ばね端３５が、テーブルばねスリーブ３８の当該係合開口部４８の中に係合する。
【００４５】
組み付け工程において、テーブル枠板３２及びテーブル表面板３０が最初に接続されてテーブルユニット４０が形成される。その後、テーブルユニット４０は、支承開口部４２が表面板開口部５２に隣接配置されるように、かつ、隆起部５０の円筒軸が支承開口部４２の中心点を通って延びるように、バックレスト表面板２０上に位置決めされる。
【００４６】
その後、バックレスト表面板２０の、テーブルユニット４０から離れる方を向く側において、回転ジャーナル３６が、隆起部５０の中に配置されかつ短手方向外側に表面板開口部５２及び支承開口部４２を通ってテーブルユニット４０の中に押し込まれる。テーブルユニット４０はここでバックレスト表面板２０に接続され、及び、回転ジャーナル３６が画定する枢動軸Ｓまわりにバックレスト表面板４０に対して枢動可能となる。
【００４７】
回転ジャーナル３６はここで、テーブルユニット４０に対して形状噛み合いによってかつ回転しないように接続される。
【００４８】
その後、バックレスト表面板２０の、テーブルユニット４０から離れる方を向く側において、テーブルばねスリーブ３８が、隆起部５０の中に配置されかつ短手方向外側に回転ジャーナル３６へ向かって押される。テーブルばねスリーブ３８のピン状突起３９が、その後、回転ジャーナル３６の中に係合する。
【００４９】
その後、テーブルばね３４の中央脚３３が、バックレスト表面板要素２０の表面板フック部５４に対してフック留めかつ締結される。表面板フック部５４は本例では、バックレスト表面板２０の、テーブルユニット４０から離れる方を向く側に配置される。
【００５０】
その後、テーブルばね３４の、外側へと曲げられたばね端３５が、テーブルばねスリーブ３８の対応する係合開口部４８の中に挿入される。テーブルばね３４の付勢ゆえに、テーブルばね３４の側方脚３７は、ばね端３５を外側へ向かって押して、すなわちテーブルばねスリーブ３８を短手方向外側へ向けるように付勢する。それにより、テーブルばねスリーブ３８は、テーブルばね３４に対して及びバックレスト表面板２０に対して形状噛み合いによってかつ回転しないように接続される。
【００５１】
すなわち、テーブルばねスリーブ３８は、回転ジャーナル３６を短手方向外側へ押してテーブルユニット４０の中に押し込む。このように、テーブルユニット４０は、バックレスト１０のバックレスト表面板２０に締結され、かつ、テーブルばね３４が及ぼすばね力によってバックレスト１０のバックレスト表面板２０上に保持される。テーブルユニット４０がバックレスト表面板２０に対して枢動すると、回転ジャーナル３６もまた、同じ角度だけテーブルばねスリーブ３８に対して枢動する。
【００５２】
本例では、各回転ジャーナル３６は追加的に、テーブルばねスリーブ３８に対向する側面にカム４４を有する。各テーブルばねスリーブ３８は、対応する回転ジャーナル３６に対向する側面に２つのロック凹部４６を有する。２つのロック凹部４６は、互いに対してほぼ８０°ずれて配列される。カム４４及びロック凹部４６は、枢動軸Ｓに対して偏心して配置され、かつ、枢動軸Ｓから同じ径方向距離にある。カム４４はこのようにして、ロック凹部４６の中に係合することができる。
【００５３】
カム４４及びロック凹部４６は、テーブルユニット４０が使用位置にある場合にカム４４が２つのロック凹部４６に係合するように配列される。テーブルユニット４０が非使用位置にある場合、カムは、２つの他のロック凹部４６に係合する。使用位置及び非使用位置では、テーブルばね３４は、テーブルばねスリーブ３８を回転ジャーナル３６に押し当てる。それにより、カム４４はいずれも、ロック凹部４６に押し込まれる。テーブルユニット４０の使用位置及びさらには非使用位置は、このようにして画定される。
【００５４】
したがって、テーブルユニット４０の非使用位置から使用位置までの及び使用位置から非使用位置までの枢動の間、テーブルばね３４が及ぼすばね力であって、テーブルばねスリーブ３８を回転ジャーナル３６に押し当てるばね力に打ち勝つことが最初に必要となる。テーブルユニット４０は、テーブルばね３４が及ぼすばね力の作用を受けてかつカム４４とロック凹部４６との相互作用に起因して、自動的に使用位置及び非使用位置にロックされる。
【００５５】
バックレスト表面板２０上には、柔らかい弾性材料、本例ではゴムからなる２つの停止ダンパー２４も設けられる。テーブルユニット４０は、非使用位置に到達するときに停止ダンパーに当接する。停止ダンパーは、テーブルユニット４０のバックレスト表面板２０に対する衝撃を減衰させる。テーブルユニット４０を非使用位置に追加的に固定するべく、ロックボタン２６がバックレスト表面板２０に取り付けられる。ロックボタンは、テーブルユニット４０をバックレスト表面板２０に対して保持する。
【００５６】
上の記載、請求項及び図面に開示された複数の特徴は、本発明を様々な実施形態で実現するべく、個々及び組み合わせの双方により重要となる。
【符号の説明】
【００５７】
１  車両用シート
２  シート部品
３  アッパレール
４  シートフレーム
５  ロアレール
７  駆動デバイス
１０  バックレスト
１１  シートクッション
１６  ロック解除バー
１８  ヘッドレスト
１９  バックレスト調整継手
２０  バックレスト表面板
２２  バックレストネット
２４  停止ダンパー
２６  ロックボタン
３０  テーブル表面板
３２  テーブル枠板
３３  中央脚
３４  テーブルばね
３５  ばね端
３６  回転ジャーナル
３７  側方脚
３８  テーブルばねスリーブ
３９  突起
４０  テーブルユニット
４２  支承開口部
４４  カム
４６  ロック凹部
４８  係合開口部
５０  隆起部
５２  表面板開口部
５４  表面板フック部
Ｓ  枢動軸
【図１】
0005887434.tif 000002
【図２】
0005887434.tif 000003
【図３】
0005887434.tif 000004
【図４】
0005887434.tif 000005
【図５】
0005887434.tif 000006
【図６】
0005887434.tif 000007
【図７】
0005887434.tif 000008
【図８】
0005887434.tif 000009
【図９】
0005887434.tif 000010